(57)【要約】【課題】照明機器を制御する負荷制御システムにおいて、照明機器を強制的に消灯させるために、強制制御装置を独立の機器として別途追加する必要がなく、システム全体の構造を簡単とし、製造コストを安価とする。【解決手段】負荷制御システムにおける操作装置１は、ユーザにより強制操作がなされる強制操作入力部１１と、強制制御信号を強制制御信号入力部２１に出力する強制制御信号出力部１２と、を備え、制御装置２は、強制制御信号が入力され強制制御信号が入力されたことを強制制御処理部２２に伝達する強制制御信号入力部２１と、照明機器３１、３２、３３を強制制御処理する情報を制御処理部２４に伝達する強制制御処理部２２と、を備える。これにより、強制制御するための機器を別途追加する必要がなく、製造コストを低減することができる。【選択図】図１
2006331835.tif 000002
【特許請求の範囲】
【請求項１】
負荷を制御するために操作される操作部及び負荷を制御するための通常制御信号を出力する出力部を有する操作装置と、
前記通常制御信号が入力される入力部及び負荷を制御する制御処理部を有する制御端末と、を備えた負荷制御システムにおいて、
前記操作装置は、強制制御信号を出力する強制信号出力部を備え、
前記制御端末は、強制制御信号が入力される強制信号入力部を備え、
前記強制信号入力部に前記強制制御信号が入力されたときは、前記制御処理部は前記通常制御信号による制御を行わないことを特徴とする負荷制御システム。
【請求項２】
前記操作部は、
前記強制制御信号による制御を行うための強制制御操作部と、
前記通常制御信号による制御を行うための通常制御操作部と、を備えたことを特徴とする請求項１記載の負荷制御システム。
【請求項３】
前記操作部は、ユーザ操作に応じて前記出力部が前記通常制御信号を出力し、又は前記強制信号出力部が前記強制制御信号を出力することを特徴とする請求項１記載の負荷制御システム。
【請求項４】
前記操作装置は、前記操作部で操作された状態を表示する操作表示部を備えたことを特徴とする請求項３記載のシステム。
【請求項５】
前記強制信号出力部は、
前記強制制御信号として、前記制御処理部が負荷を強制的にオンさせる強制オン信号と、
前記制御処理部が負荷を強制的にオフさせる強制オフ信号と、
前記制御処理部が負荷を強制的にオン、又はオフさせた状態を解除する解除信号と、を出力し、
前記制御処理部は、前記強制制御信号の種類に応じた制御を行うことを特徴とする請求項１乃至請求項４のいずれかに記載の負荷制御システム。
【請求項６】
前記制御端末は、前記制御処理装置に接続され前記制御処理装置の制御パターンを記憶した記憶部を備え、
前記制御処理装置は、前記強制制御信号の種類に応じて予め前記記憶部に記憶された前記制御パターンに応じて制御処理を行うことを特徴とする請求項５に記載の負荷制御システム。
【請求項７】
前記制御端末は、現在の前記制御処理部の制御状態を出力する状態出力部を備え、
前記操作装置は、前記状態出力部から出力された前記制御状態を表示するための状態表示部を備えたことを特徴とする請求項１乃至請求項６のいずれかに記載の負荷制御システム。
【請求項８】
請求項１乃至請求項７のいずれかに記載の負荷制御システムに供される操作装置。
【請求項９】
請求項１乃至請求項７のいずれかに記載の負荷制御システムに供される制御端末。
【発明の詳細な説明】
【技術分野】
【０００１】
本発明は、照明や空調機器などに対する強制制御機能を備えた負荷制御システムに関する。
【背景技術】
【０００２】
従来の負荷制御システムを図１１を参照して説明する。図１１は従来の負荷制御システムのブロック構成を示す。負荷制御システムは、操作装置１と、強制制御装置４と、制御端末５とを備える。この制御端末５には、負荷として例えば照明機器３１、３２、３３が接続されている。操作装置１はユーザからの操作を受けることにより、制御端末５を作動させる。制御端末５は、少なくとも１以上の照明機器３１、３２、３３を制御する。通常は制御端末５が照明機器３１、３２、３３を制御するが、緊急時や保守点検時にユーザが強制制御装置４に対し操作をすることにより、強制制御装置４が照明機器３１、３２、３３を制御する。なお、強制制御装置４は、必要に応じて設けられる。負荷制御システムは、負荷制御システムの規模に合わせて操作装置１と、強制制御装置４と、制御端末５と、を複数備える。
【０００３】
強制制御装置４が、照明機器３１、３２、３３を強制的に点灯又は消灯させる制御を行った場合、操作装置１による、照明機器３１、３２、３３の制御が不可となる。これにより、緊急時や保守点検時等、所定の点灯又は消灯状態を維持したい場合に、それを阻害する操作を禁止することができる。この種の負荷制御システムは、例えば特許文献１に示されている。
【特許文献１】特開平１０−１５３３３８号公報
【発明の開示】
【発明が解決しようとする課題】
【０００４】
この種の負荷制御システムにおいては、照明機器３１、３２、３３を強制的に消灯させるためには、強制制御装置４を独立の機器として別途追加する必要があった。その結果、強制制御装置４を別途追加することにより、システム全体としてのコストや強制制御装置４の施工、保守等の作業工程が増加するという問題が生じていた。
【０００５】
本発明は、上記課題を解決するものであって、強制制御装置を独立の機器として別途追加することなく強制制御機能を付与することができ、安価かつ小型化が図れる負荷制御システムを提供することを目的とする。
【課題を解決するための手段】
【０００６】
上記課題を解決するために、本発明は、負荷を制御するために操作される操作部及び負荷を制御するための通常制御信号を出力する出力部を有する操作装置と、通常制御信号が入力される入力部及び負荷を制御する制御処理部を有する制御端末と、を備えた負荷制御システムにおいて、操作装置は、強制制御信号を出力する強制信号出力部を備え、制御端末は、強制制御信号が入力される強制信号入力部を備え、強制信号入力部に強制制御信号が入力されたときは、制御処理部は通常制御信号による制御を行わないものである。
【０００７】
前記操作部は、強制制御信号による制御を行うための強制制御操作部と、通常制御信号による制御を行うための通常制御操作部と、を備えたものとすればよい。
【０００８】
前記操作部は、ユーザ操作に応じて出力部が通常制御信号を出力し、又は強制信号出力部が強制制御信号を出力するものとしてもよい。
【０００９】
前記操作装置は、操作部で操作された状態を表示する操作表示部を備えたものとしてもよい。
【００１０】
前記強制信号出力部は、強制制御信号として、制御処理部が負荷を強制的にオンさせる強制オン信号と、制御処理部が負荷を強制的にオフさせる強制オフ信号と、制御処理部が負荷を強制的にオン、又はオフさせた状態を解除する解除信号と、を出力し、制御処理部は、強制制御信号の種類に応じた制御を行うものとすればよい。
【００１１】
前記制御端末は、制御処理装置に接続され制御処理装置の制御パターンを記憶した記憶部を備え、制御処理装置は、強制制御信号の種類に応じて予め記憶部に記憶された制御パターンに応じて制御処理を行うものとすることができる。
【００１２】
前記制御端末は、現在の制御処理部の制御状態を出力する状態出力部を備え、操作装置は、状態出力部に出力された制御状態を表示するための状態表示部を備えたものとしてもよい。
【００１３】
また、本発明は、上記いずれかに記載の負荷制御システムに供される操作装置である。
【００１４】
また、本発明は、上記いずれかに記載の負荷制御システムに供される制御端末である。
【発明の効果】
【００１５】
本発明によれば、従来からある操作部の内部に強制制御を行うための強制制御信号を出力する強制制御出力部を設け、さらに従来からある制御端末の内部に強制制御信号が入力される強制制御信号入力部と強制制御する処理内容を決定する強制制御処理部を設けることにより、負荷制御システムに独立した強制制御装置を別途設ける必要がなくなるため、システム全体としてのコストの削減や、強制制御装置の施工、保守等の作業工程を減らすことができる。
【発明を実施するための最良の形態】
【００１６】
以下、本発明の実施形態に係る負荷制御システムについて、図面を参照して説明する。図１は、第１の実施形態に係る負荷制御システムのブロック構成を示す。負荷制御システムは、操作装置１と、制御装置２とを備える。制御装置２には、照明機器３１、３２、３３が接続されている。操作装置１はユーザ操作に応じて制御信号を決定し、制御装置２に制御信号を出力する。操作装置１からの制御信号が入力された制御装置２は、制御信号に応じて照明機器３１、３２、３３を制御する。ここで、ユーザ操作には、操作装置１に取付けられた釦、タッチパネル及びレバーの操作などを含む。
【００１７】
操作装置１は、ユーザ操作により強制操作がなされたことを知る強制操作入力部１１と、強制操作入力部１１が強制操作がなされたことを受けて強制制御信号を強制制御信号入力部２１に出力する強制制御信号出力部１２と、ユーザ操作により通常操作がなされたこと知る通常操作入力部１３と、通常操作入力部１３が通常操作がなされたことを受けて通常制御信号を通常制御信号入力部２３に出力する通常制御信号出力部１４とで構成される。
【００１８】
制御装置２は、強制制御信号出力部１２からの強制制御信号が入力され強制制御信号が入力されたことを強制制御処理部２２に伝達する強制制御信号入力部２１と、強制制御信号入力部２１からの情報により照明機器３１、３２、３３を強制制御処理する情報を制御処理部２４に伝達する強制制御処理部２２と、通常制御信号出力部１４からの通常制御信号が入力され通常制御信号が入力されたことを制御処理部２４に伝達する通常制御信号入力部２３と、強制制御処理部２２及び通常制御信号入力部２３からの情報に基づいて照明機器３１、３２、３３を制御する制御処理部２４とで構成される。
【００１９】
本実施形態によれば、操作装置１に強制操作入力部１１及び強制制御信号出力部１２を設け、制御装置２に強制制御信号入力部２１及び強制制御処理部２２を設けることにより、照明機器３１、３２、３３を強制制御する機器を別途追加する必要がなくなる。
【００２０】
図２は、第２の実施形態に係る負荷制御システムのブロック構成を示す。この第２の実施形態は、操作装置１をより簡易な構成としたものである。この負荷制御システムは、操作装置１が第１の実施形態と相違し、操作入力部１１Ａと、制御信号出力部１２Ａとを備える。操作入力部１１Ａはユーザ操作が強制制御又は通常制御のいずれであるかを判断し、判断した内容を制御信号出力部１２Ａへ伝達する。制御信号出力部１２Ａは操作入力部１１Ａの情報が強制制御である場合は、強制制御信号を強制制御信号入力部２１へ、又は操作入力部１１Ａの情報が通常制御である場合は、通常制御信号を通常制御信号入力部２３へ出力する。操作入力部１１Ａは、ユーザ操作の違いによって強制制御又は通常制御のいずれかを判断するが、ユーザ操作の違いは、異なる釦を押下する以外に、同じ釦を押下し続ける時間によって区別する方法でもよい。
【００２１】
本実施形態によれば、操作入力部１１Ａが、ユーザ操作が強制操作又は通常操作であるかを判断し、制御信号出力部１２Ａが、強制制御信号又は通常制御信号を出力するため操作装置１の構造をより簡易にすることができる。
【００２２】
図３は、第３の実施形態に係る負荷制御システムのブロック構成を示す。この第３の実施形態は、ユーザが操作した制御状態をユーザが視認することができる構造としたものである。この負荷制御システムは、操作装置１が第１の実施形態と相違し、操作表示部１５を備える。操作表示部１５は、操作入力部１１Ａと強制制御信号出力部１２と通常制御信号出力部１４とに接続され、操作入力部１１Ａに入力されたユーザ操作の情報と、強制制御信号出力部１２及び通常制御信号出力部１４の制御信号の出力状態を表示する。
【００２３】
本実施形態によれば、ユーザは負荷制御システムの操作後に、操作内容を操作表示部１５で視認することができるため、操作間違いを早期に知ることができる。
【００２４】
図４は、第４の実施形態に係る負荷制御システムのブロック構成を示す。この第４の実施形態は、予め強制制御処理のパターンを記憶することができる構成としたものである。この負荷制御システムは、制御装置２が第１の実施形態と相違し、強制制御処理データベース２５を備える。強制制御処理データベース２５は、制御処理部２４が強制制御を行う場合に、制御処理部２４が照明機器３１、３２、３３を強制制御する処理パターンを予め記憶する。強制制御処理データベース２５が記憶する強制制御のパターンは、照明機器３１、３２、３３を全て消灯させ、又は全て点灯させる他、特定の照明機器のみ、例えば照明機器３１のみを消灯、又は点灯させる場合などを含む。
【００２５】
本実施形態によれば、強制制御処理データベース２５に予め複数の強制制御処理のパターンを記憶することができるため、ユーザは照明機器３１、３２、３３に対し細かな強制制御処理を行うことが可能となる。また、強制制御処理データベース２５が予め記憶する強制制御処理のパターンの内容を書き換えることにより、ユーザは照明機器３１、３２、３３に対し新たな強制制御処理を行うことが可能となる。
【００２６】
図５は、第５の実施形態に係る負荷制御システムのブロック構成を示す。この第５の実施形態は、ユーザが操作した状態を表示するのに加え、制御処理部２４が行っている処理状態を表示することができる構成としたものである。この負荷制御システムにおいては、操作装置１及び制御装置２が第３の実施形態と相違し、操作装置１は状態表示部１０を備え、制御装置２は、状態出力部２６を備える。状態出力部２６は、制御処理部２４に接続され、制御処理部２４が行った処理状態を状態表示部１６に出力する。状態表示部１６は、操作装置１に設置されており、状態出力部２６が出力した制御処理部２４の処理状態を表示する。
【００２７】
本実施形態によれば、ユーザは制御処理部２４が行った処理状態を状態表示部１６で視認することができるため、制御処理部２４が誤作動したことを早期に知ることができるとともに、制御処理部２４の処理状態の遷移を知ることも可能となる。
【００２８】
次に、上述した第１の実施形態に係る負荷制御システムの動作手順について説明する。図６は、第１の実施形態に係る負荷制御システムの動作フローを示す。ユーザは負荷制御システムを強制操作又は通常操作のいずれの操作で制御するかを決定する操作を操作装置１に対して行う（Ｓ１０１）。ユーザが強制操作で制御する操作を行ったときは、強制操作入力部１１がユーザの操作した内容を強制制御信号出力部１２へ伝達する（Ｓ１０２）。強制制御信号出力部１２は、強制操作入力部１１から伝達されたユーザ操作の内容に応じて、強制制御信号として強制オン信号、強制オフ信号、又は解除信号のいずれかの信号を強制制御信号入力部２１へ出力する（Ｓ１０３）。ここで、強制オン信号は、制御処理部２４が照明機器３１、３２、３３を強制的にオンの状態、すなわち点灯する状態にし、制御処理部２４が解除するまでオンの状態を保持する信号である。一方、強制オフ信号は、制御処理部２４が照明機器３１、３２、３３を強制的にオフの状態、すなわち消灯する状態にし、制御処理部２４が解除するまでオフの状態を保持する信号である。
【００２９】
また、解除信号は、制御処理部２４が強制オン信号又は強制オフ信号により照明機器３１、３２、３３をオン又はオフの状態にし、その状態を保持している場合（以下、強制保持状態という）に、制御処理部２４が照明機器３１、３２、３３に対して強制保持状態を解除するための信号である。強制保持状態の間は、制御処理部２４が解除信号を受信するまでは通常信号を受信しても照明機器３１、３２、３３を制御できない。以下、ここでの説明では、強制制御信号は、強制オン信号、強制オフ信号、解除信号を含むものとするが、強制制御信号は、強制オン信号のみ、又は強制オフ信号のみを含む信号であってもよく、また、特定の照明機器（例えば、照明機器３１）のみを制御する信号を含む構成でもよい。
強制制御信号入力部２１は、入力された強制制御信号、すなわち強制オン信号、強制オフ信号、又は解除信号のいずれかを強制制御処理部２２へ伝達する（Ｓ１０４）。強制制御処理部２２は、伝達された強制制御信号の種類に応じた処理内容を制御処理部２４へ伝達する（Ｓ１０５）。制御処理部２４は、強制制御処理部２２からの処理内容に応じた制御を照明機器３１、３２、３３に対して行う（Ｓ１０６）。
【００３０】
また、ステップＳ１０１において、ユーザが通常操作で制御する操作を行ったときは、通常操作入力部１３がユーザの操作した内容を通常制御信号出力部１４へ伝達する（Ｓ１０７）。通常制御信号出力部１４は、通常操作入力部１３から伝達されたユーザ操作の内容に応じて、通常制御信号として通常オン信号又は通常オフ信号を通常制御信号入力部２３へ出力する（Ｓ１０８）。以下、通常制御信号は、通常オン信号又は通常オフ信号を含むものとする。ここで、通常オン信号は、制御処理部２４が照明機器３１、３２、３３をオンの状態、すなわち点灯させる信号である。一方、通常オフ信号は、制御処理部２４が照明機器３１、３２、３３をオフの状態、すなわち消灯させる信号である。通常制御信号入力部２３は、入力された通常制御信号、すなわち通常オン信号又は通常オフ信号を制御処理部２４へ伝達する（Ｓ１０９）。制御処理部２４は、通常制御信号入力部２３からの処理内容に応じた制御を照明機器３１、３２、３３に対して行う（Ｓ１０６）。
【００３１】
図７は、第２の実施形態に係る負荷制御システムの動作フローを示す。ここでは、第２の実施形態に係る負荷制御システムにおいて、操作装置１が操作入力部１１Ａと制御信号出力部１２Ａで構成されている場合の動作手順について説明する。ユーザは負荷制御システムを強制操作又は通常操作のいずれの操作で制御するかを決定する操作を操作装置１に対して行う（Ｓ２０１）。操作入力部１１Ａは、ユーザが操作した内容から強制操作又は通常操作であるかを判断し、判断した情報を制御信号出力部１２Ａへ伝達する（Ｓ２０２）。制御信号出力部１２Ａが操作入力部１１Ａから受け取った情報が強制操作の場合は、制御信号出力部１２Ａは、強制制御信号を強制制御信号入力部２１へ出力する。操作入力部１１Ａから受け取った情報が通常操作の場合は、通常制御信号を通常制御信号入力部２３へ出力する（Ｓ２０３）。ステップＳ２０３で、制御信号出力部１２Ａが強制制御信号入力部２１へ強制制御信号を出力した場合、強制制御信号入力部２１は入力された強制制御信号が、強制オン信号か強制オフ信号か解除信号のいずれの信号であるかを判断し、判断した強制制御信号の種別を強制制御処理部２２へ伝達する（Ｓ２０４）。強制制御処理部２２は、伝達された強制制御信号の種類に応じた処理内容を制御処理部２４へ伝達する（Ｓ２０５）。制御処理部２４は、強制制御処理部２２からの処理内容に応じた制御を照明機器３１、３２、３３に対して行う（Ｓ２０６）。
【００３２】
また、ステップＳ２０３において、制御信号出力部１２Ａが操作入力部１１Ａから受け取った情報が通常操作の場合は、制御信号出力部１２Ａは、通常制御信号を通常制御信号入力部２３へ出力する。操作入力部１１Ａから受け取った情報が通常操作の場合は、通常制御信号を通常制御信号入力部２３へ出力する（Ｓ２０３）。通常制御信号入力部２３は入力された通常制御信号が、通常オン信号か通常オフ信号のいずれの信号であるかを判断し、判断した通常制御信号の種別を制御処理部２４へ伝達する（Ｓ２０７）。制御処理部２４は、通常制御信号入力部２３からの処理内容に応じた制御を照明機器３１、３２、３３に対して行う（Ｓ２０６）。
【００３３】
図８は、第３の実施形態に係る負荷制御システムの動作フローを示す。ここでは、第３の実施形態に係る負荷制御システムにおいて、操作装置１が操作表示部１５を備えた場合の動作手順について説明する。操作装置１に設けられた操作表示部１５は、ステップＳ２０１でユーザが操作した内容（例えば、強制操作又は通常操作）を表示する（Ｓ３０１）。ステップＳ１０３において、強制制御信号出力部１２が強制制御信号を出力したときは、
操作表示部１５は、強制制御信号の種別（例えば、強制オン信号、強制オフ信号、解除信号）を表示する（Ｓ３０３）。同様にステップＳ１０８において、通常制御信号出力部１４が通常制御信号を出力したときは、操作表示部１５は、通常制御信号の種別（例えば、通常オン信号、通常オフ信号）を表示する（Ｓ３０３）。
【００３４】
図９は、第４の実施形態に係る負荷制御システムの動作フローを示す。ここでは、第４の実施形態に係る負荷制御システムおいて、制御装置２が強制制御処理データベース２５を備えた場合の動作手順について説明する。ステップＳ４０１において、制御処理部２４が強制制御処理部２２から処理内容を受け取った場合は、制御処理部２４は強制制御処理データベース２５を参照し（Ｓ４０２）、予め強制制御処理データベース２５に記憶された処理内容に応じた制御を照明機器３１、３２、３３に対して行う（Ｓ１０６）。ここで、強制制御処理データベース２５には、全ての照明機器を制御する強制制御処理パターンの他に、特定の照明機器（例えば、照明機器３１）のみを制御する強制制御処理パターンを記憶してもよい。一方、ステップＳ４０１において、制御処理部２４が通常制御信号入力部２３から処理内容を受け取った場合は、強制制御処理データベース２５を参照しないで、通常制御信号入力部２３からの処理内容に応じた制御を照明機器３１、３２、３３に対して行う（Ｓ１０６）。
【００３５】
図１０は、第５の実施形態に係る負荷制御システムの動作フローを示す。ここでは、第５の実施形態に係る負荷制御システムにおいて、制御装置２に制御処理部２４の制御状態を出力する状態出力部２６と、操作装置１に状態出力部２６が出力した内容を表示する状態表示部１６とを備えた場合の動作手順について説明する。制御処理部２４は、ステップＳ１０６で制御した制御状態を状態出力部２６へ出力する（Ｓ５０１）。ここで、状態出力部２６へ出力される内容としては、「強制制御」又は「通常制御」でもよいし、「強制オン制御」又は「通常オン制御」などでもよい。さらに、各照明機器ごとに制御状態を出力してもよい。例えば、「照明機器３１  解除制御」などである。状態出力部２６は、制御処理部２４の制御内容を状態表示部１６へ出力し、状態表示部１６は制御内容を表示する。ここで、状態表示部１６が表示する制御内容としては、「強制制御」又は「通常制御」でもよいし、「強制オン制御」又は「通常オン制御」などでもよい。
【００３６】
なお、本発明は、上記各実施形態の構成に限られず、種々の変形が可能であり、例えば、
操作装置と制御端末について、図に示した組合せ以外の組合せとしてもよい。また、操作装置、制御端末は、本発明のシステムに使用できる構成となっていれば足り、強制制御仕様でない操作装置、制御端末との組合せで使用されるものであってもよい。また、ユーザ操作としては、「強制操作」、「通常操作」に限られず他の操作を備えた構成としても構わない。
【図面の簡単な説明】
【００３７】
【図１】本発明の第１の実施形態に係る負荷制御システムのブロック構成図。
【図２】第２の実施形態に係る負荷制御システムのブロック構成図。
【図３】第３の実施形態に係る負荷制御システムのブロック構成図。
【図４】第４の実施形態に係る負荷制御システムのブロック構成図。
【図５】第５の実施形態に係る負荷制御システムのブロック構成図。
【図６】上記第１の実施形態に係る負荷制御システムの動作フロー。
【図７】上記第２の実施形態に係る負荷制御システムの動作フロー。
【図８】上記第３の実施形態に係る負荷制御システムの動作フロー。
【図９】上記第４の実施形態に係る負荷制御システムの動作フロー。
【図１０】上記第５の実施形態に係る負荷制御システムの動作フロー。
【図１１】従来の負荷制御システムのブロック構成図。
【符号の説明】
【００３８】
１  操作装置
２  制御装置
３  強制制御装置
４  制御端末
１１  強制操作入力部
１１Ａ  操作入力部
１２  強制制御信号出力部
１２  強制制御信号出力部
１２Ａ  制御信号出力部
１３  通常操作入力部
１４  通常制御信号出力部
１５  操作表示部
１６  状態表示部
２１  強制制御信号入力部
２２  強制制御処理部
２３  通常制御信号入力部
２４  制御処理部
２５  強制制御処理データベース
２６  状態出力部
３１  照明機器
３２  照明機器
３３  照明機器
【図１】
2006331835.tif 000003
【図２】
2006331835.tif 000004
【図３】
2006331835.tif 000005
【図４】
2006331835.tif 000006
【図５】
2006331835.tif 000007
【図６】
2006331835.tif 000008
【図７】
2006331835.tif 000009
【図８】
2006331835.tif 000010
【図９】
2006331835.tif 000011
【図１０】
2006331835.tif 000012
【図１１】
2006331835.tif 000013